(57)【要約】【課題】外観を損なうことなく、地震のときに転倒することがないよう壁面に固定することができるようにした家具を提供することにある。【解決手段】壁面１に取り付けられる連結部材１２に連結固定して設置される家具であって、  家具本体３と、家具本体の背板の背面側に形成され家具本体の背面を壁面に接触させて設置したときに連結部材が入り込む凹部１８と、背板に形成された長孔から連結部材に設けられたナットに螺合され家具本体を連結部材に連結固定する固定ねじを具備する。【選択図】      図４
2008237546.tif 000002
【特許請求の範囲】
【請求項１】
壁面に取り付けられる連結部材に連結固定して設置される家具であって、
家具本体と、
この家具本体の背板の背面側に形成され家具本体の背面を上記壁面に接触させて設置したときに上記連結部材が入り込む凹部と、
上記背板に形成された通孔から上記連結部材に設けられたねじ孔に螺合され上記家具本体を上記連結部材に連結固定する固定ねじと
を具備したことを特徴とする家具。
【請求項２】
上記連結部材には、この連結部材を上記壁面に水平に取り付けるための水準器が設けられ、上記背板に形成される通孔は水平方向と交差する方向に長い長孔であることを特徴とする請求項１記載の家具。
【請求項３】
上記連結部材には水平方向に沿って長い保持溝が形成され、この保持溝には上記ねじ孔を形成するナットが保持溝の長手方向に沿ってスライド可能に設けられていることを特徴とする請求項１記載の家具。
【請求項４】
上記家具本体の背面の下端部には、この背面が上記壁面の下端部に設けられた幅木に当たるのを避ける逃げ部が形成されていることを特徴とする請求項１記載の家具。
【請求項５】
上記家具本体の底部の四隅部には、家具本体の前後方向の傾きを調整するアジャスタが設けられていることを特徴とする請求項１記載の家具。
【請求項６】
上記家具本体の前面には、この前面の開口部を開閉するガラス戸が設けられていて、このガラス戸のガラス面には破損時の飛散を防止する飛散防止フィルムが貼着されていることを特徴とする請求項１記載の家具。
【発明の詳細な説明】
【技術分野】
【０００１】
この発明は地震によって転倒するのを防止した家具に関する。
【背景技術】
【０００２】
家屋内には家具が背面を壁面に接触させて設置される。家屋内に設置された家具は地震の発生時に転倒する虞があり、そのような場合、家具の近くにいた住人は転倒した家具の下敷きになったり、手足が挟まれるなどの危険がある。
【０００３】
そこで、地震の発生時に家具の転倒を防止するため、特許文献１に示されるように家具の天井板の両側部に壁面などに取り付けるための取付け金具を設けたり、特許文献２に示されるように家具の天板に当てた軸穴に伸縮軸を通し、伸縮軸の上部先端に天井接地板を取付け、天板に対する伸縮軸の取付け位置を上下方向に調整して上記天井接地版を天井壁面に当接させるなどのことが行われている。
【特許文献１】実開昭５８−６５９４６号公報
【特許文献１】実開昭５８−８７５４４号公報
【発明の開示】
【発明が解決しようとする課題】
【０００４】
しかしながら、家具の転倒を防止するため、特許文献１のように天井板の両側部に取付け金具を設けたり、特許文献２のように天板に伸縮軸を設け、この伸縮軸の上部先端に天井接地板を設けるようにすると、上記取付け金具や伸縮軸及び天井接地板が外部に露出するため、外観的に極めて体裁が悪いということがある。
【０００５】
この発明は外観の低下を招くことなく家具を転倒するようなことなく確実に壁面に固定することができるようにした家具を提供することにある。
【課題を解決するための手段】
【０００６】
この発明は、壁面に取り付けられる連結部材に連結固定して設置される家具であって、
家具本体と、
この家具本体の背板の背面側に形成され家具本体の背面を上記壁面に接触させて設置したときに上記連結部材が入り込む凹部と、
上記背板に形成された通孔から上記連結部材に設けられたねじ孔に螺合され上記家具本体を上記連結部材の連結固定する固定ねじと
を具備したことを特徴とする家具にある。
【０００７】
上記連結部材には、この連結部材を上記壁面に水平に取り付けるための水準器が設けられ、上記背板に形成される通孔は水平方向と交差する方向に長い長孔であることが好ましい。
【０００８】
上記連結部材には水平方向に沿って長い保持溝が形成され、この保持溝には上記ねじ孔を形成するナットが保持溝の長手方向に沿ってスライド可能に設けられていることが好ましい。
【０００９】
上記家具本体の背面の下端部には、この背面が上記壁面の下端部に設けられる幅木に当たるのを避ける逃げ部が形成されていることが好ましい。
【００１０】
上記家具本体の底部の四隅部には、家具本体の前後方向の傾きを調整するアジャスタが設けられていることが好ましい。
【００１１】
上記家具本体の前面には、この全面の開口部を開閉するガラス戸が設けられていて、このガラス戸のガラス面には破損時の飛散を防止する飛散防止フィルムが貼着されていることが好ましい。
【発明の効果】
【００１２】
この発明によれば、家具本体を壁面に取付け固定するための連結部材が家具本体の背面側に隠れて外部に露出しないから、外観を損なうことなく家具本体を転倒するようなことなく壁面に固定することができる。
【発明を実施するための最良の形態】
【００１３】
以下、この発明の実施の形態を図面を参照しながら説明する。  
図１乃至図７はこの発明の第１の実施の形態を示し、図１は壁面１に背面を接触させて設置された家具２を示す。この家具２は前面が開口した箱型状の家具本体３を有する。図４に示すように、家具本体３の内部には上下方向に所定間隔で複数の棚板４が着脱可能に水平に架設され、前面開口には２枚の引き違い戸５がスライド可能に設けられている。
【００１４】
上記引き違い戸５の戸枠６内には板ガラス7が設けられ、この板ガラス７には図７に示すように地震などの衝撃で板ガラス７が破損したときに破片が飛び散るのを防止する透明な構成樹脂シートからなる飛散防止フィルム８が貼着されている。飛散防止フィルム８は板ガラス７の内面或いは外面のいずれであってもよいが、飛散防止フィルム８を傷付けないようにするためには内面に貼着することが好ましい。
【００１５】
なお、上記引き違い戸５と家具本体３の側板３ａの内面とには、地震が発生したときに上記引き違い戸５が開方向にスライドし、家具本体３内に収容された物品が外部に飛散するのを防止する耐震ロック装置（図示せず）が設けられている。
【００１６】
上記家具本体３の背板３ｂの高さ方向上部あるいは中途部には幅方向に所定間隔で離間した一対の通孔としての長孔１１（図５に１つだけ図示）が家具本体３の上下方向に沿って形成されている。図２に示すように、上記壁面１には家具本体３の長孔１１が形成された部分と対応する高さに帯板状に連結部材１２の両端部が上記壁面１に一対の止めねじ１３によって取付け固定されている。  
なお、長孔１１は図５に示すように棚板４の下面の近くに形成することが好ましい。それによって、長孔１１は棚板４に隠されて外部から見え難くなる。
【００１７】
上記壁面１に取付けられた上記連結部材１２の上端面には水準器１４が設けられている。それによって上記連結部材１２を上記壁面１に対して水平の取付け固定できるようになっている。
【００１８】
図３（ａ），（ｂ）に示すように、上記連結部材１２の長手方向両端部には連結部材１２の長手方向、つまり水平方向に沿って長い一対の連結孔１５が穿設されている。この連結孔１５は、段部１５ａによって壁面１側の一側面に開口する後部分１５ｂと、他側面に開口する、上記後部分１５ｂよりも小さな前部分１５ｃとに分けられていて、その後部分１５ｂにはねじ孔を形成するナット１６が後部分１５ｂの長手方向に沿ってスライド可能に収容されている。
【００１９】
なお、ナット１６の外径寸法は前部分１５ｃの幅寸法よりも小さく設定されている。それによって、ナット１６が連結部材１２の前面側に抜け出ることがないようになっている。
【００２０】
上記家具本体３の背板３ｂは、側板３ａ、天井板３ｃ及び底板３ｄの後端面よりも上記連結部材１２の厚さ分だけ家具本体３の前面側に設けられている。それによって、家具本体３の背板３ｂの背面には図４に示すように凹部１８が形成されている。
【００２１】
上記家具本体３の底部には枠体１９が設けられ、この枠体１９の四隅部内には家具本体３の支持高さを調整するねじ込み式のアジャスタ２１が設けられている。上記枠体１９の後端面は上記側板３ａの後端面よりも所定寸法前方に位置している。それによって、家具本体３の背面下端部には、この家具本体３を壁面１に接触させて設置したときに、壁面１の下端部に設けられた幅木２２が入り込む逃げ部２３が形成されている。
【００２２】
上記逃げ部２３を形成する上記枠体１９の後側面にはシート状のクッション材２４が貼着されている。それによって、上記枠体１９の後側面は圧縮されたクッション材２４を介して上記幅木２２に弾性的に密着するようになっている。
【００２３】
このように構成された家具２は、図４に示すようにその家具本体３の背面を壁面１に接触させて設置する。そして、図５に示すように壁面１に設けられた連結部材１２に、家具本体３の背板３ｂに形成された一対の長孔１１（一方のみ図示）を対向させ、この長孔１１から上記連結部材１２の連結孔１５の後部分１５ｂに設けられたナット１６に固定ねじ２６を螺合する。それによって、家具本体３は壁面１に固定されることになる。
【００２４】
上記家具本体３の背面には上記連結部材１２が入り込む凹部１８が形成され、背面の下端部には壁面１の下端部に設けられた幅木２２が入り込む逃げ部２３が形成されている。さらに、家具本体３の下端部に設けられた枠体１９内の四隅部には家具本体３の設置高さを調整するアジャスタ２１が設けられている。
【００２５】
そのため、壁面１に固定されて設置される家具本体３は、その背面に形成された凹部１８に連結部材１２が入り込むばかりか、家具本体３の下端部の枠体１９の後側面には壁面１の下端部に設けられた幅木２２を逃げるために逃げ部２３が形成されている。
【００２６】
そのため、家具本体３の内部から長孔１１を通じて連結部材１２の連結孔１５に設けられたナット１６に固定ねじ２６をねじ込めば、上記家具本体３の背面、つまり家具本体３の側板３ａ、天井板３ｃ及び底板３ｄの後端面を壁面１に確実に接触させて家具本体３を設置することができる。
【００２７】
しかも、家具本体３の下端部である、枠体１９内の四隅部にはアジャスタ２１が設けられ、このアジャスタ２１によって家具本体３の前後方向の傾きを調整することができから、そのことによって家具本体３の背面を壁面１に無理なく確実に接触させることができる。
【００２８】
家具本体３の背面を壁面１に確実に接触させることができれば、地震が発生したときに家具本体３が壁面１に対してがたつくことなくから、家具本体３を壁面１に連結した固定ねじ２６を介して連結部材１２に負荷が加わり、連結部材１２が壁面１から外れるような虞がないばかりか、家具本体３内に収容された物品もがたつき難くなるということがある。
【００２９】
壁面１の連結部材１２に形成された連結孔１５にはナット１６が水平方向にスライド可能に設けられ、家具本体３の背板３ｂには固定ねじ２６を通すための長孔１１が上下方向に沿って長く形成されている。
【００３０】
そのため、家具本体３を設置したとき、水平方向及び上下方向に対して連結部材１２の連結孔１５と背板３ｂの長孔１１とに多少の位置ずれが生じても、水平方向は上記ナット１６が連結孔１５に対して水平方向にスライド可能に設けられていることで吸収され、上下方向は長孔１１によって吸収されるから、上記固定ねじ２６を上記ナット１６に確実にねじ込むことができる。
【００３１】
しかも、連結部材１２に水準器１４を設けたため、その連結部材１２を壁面１に水平に取付け固定することができるから、そのことによっても水平方向に対するナット１６と長孔１１の位置ずれを少なくすることができる。
【００３２】
このように、家具本体３の背面側に形成された凹部１８に壁面１に設けられた連結部材１２を入り込ませ、家具本体３を壁面１に固定するようにしたことで、家具本体３を壁面１に固定するための連結部材１２や止めねじ１３などが外部に全く露出しないから、外観的に良好であり、室内の美観が損なわれるようなことがない。
【００３３】
図８はこの発明の第２の実施の形態である。この実施の形態は家具本体３Ａが枠体１９に代わって下面四隅部に設けられた脚体２８によって支持される場合であって、そのような場合には脚体２８の下端面に高さ調整用のアジャスタ２１Ａを設け、さらに家具本体３の後端側に設けられる２本の脚体２８（１本のみ図示）を幅木２２に当たらないよう、家具本体３Ａの後端面から同図に寸法ｄで示すように前方へずらして逃げ部２３ａを形成する。
【００３４】
このような構成によれば、第１の実施の形態と同様、家具本体３Ａを脚体２８に設けられたアジャスタ２１Ａによって前後方向の傾きを調整して設置することができ、しかも設置の際に背面が壁面１に確実に接触するのを幅木２２によって邪魔されるようなこともない。
【００３５】
図９はこの発明の第３の実施の形態であって、この実施の形態は連結部材１２Ａの変形例を示す。この実施の形態の連結部材１２Ａは連結孔１５に代わって連結部材の両端部にそれぞれ複数の埋め込みナット１６ａを設けるようにしたものであって、このような構成の連結部材１２Ａを用いるようにすれば、埋め込みナット１６ａは第１の実施の形態の連結孔１５にスライド可能に設けられたナット１６のように連結部材１２Ａから落下することがないから、連結部材１２Ａの取り扱いが容易となる。
【００３６】
上記実施の形態では家具として前面に引き違い戸が設けられた構成を例に挙げて説明したが、引き違い戸に代わり観音開きの戸が設けられた家具や戸に代わり引き出しが設けられた家具などなどであってもよく、家具の種類はなんら限定されるものでない。
【００３７】
なお、引き出しが設けられる場合には、この引き出しが地震の振動によって飛び出すことがないよう、引き出しと家具本体とに耐震ロック装置を設けるようにすることが好ましい。
【図面の簡単な説明】
【００３８】
【図１】図１は壁面に背面を接触させて設置された家具の斜視図。
【図２】壁面に設けられた連結部材の斜視図。
【図３】（ａ）は連結部材の平面図、（ｂ）は同じく側面図。
【図４】家具本体が壁面の連結部材に連結された状態の断面図。
【図５】家具本体の背板と連結部材との連結部分の拡大断面図。
【図６】家具本体の下部の枠体の部分の拡大断面図。
【図７】板ガラスの一部分を示す拡大断面図。
【図８】この発明の第２の実施の形態を示す家具本体の下部の断面図。
【図９】この発明の第３の実施の形態を示し、（ａ）は連結部材の平面図、（ｂ）は同じく側面図。
【符号の説明】
【００３９】
１…壁面、２…家具、３…家具本体、５…引き違い戸、７…板ガラス、８…飛散防止フィルム、１１…長孔、１２…連結部材、１３…止めねじ、１４…水準器、１５…連結孔、１６…ナット（ねじ孔）、１８…凹部、２１…アジャスタ、２２…幅木、２３…逃げ部、２６…固定ねじ。
【図１】
2008237546.tif 000003
【図２】
2008237546.tif 000004
【図３】
2008237546.tif 000005
【図４】
2008237546.tif 000006
【図５】
2008237546.tif 000007
【図６】
2008237546.tif 000008
【図７】
2008237546.tif 000009
【図８】
2008237546.tif 000010
【図９】
2008237546.tif 000011